(57)【要約】    【課題】外部機器にインターホンとしての機能に必要な状態遷移をもたせることなく、汎用性の高いインターフェースでより簡単にインターホンとしての機能を実現できるようにする。    【解決手段】本発明のインターホンシステムは、インターホンアダプタ７に接続され、当該インターホンアダプタ７からインターホンシステムの待受、呼出、出画、通話、終話等の機能が提供されるパーソナルコンピュータ等の外部機器８を備えている。  インターホンアダプタ７は、インターホンシステムの待受、呼出、出画、通話、終話等の機能を外部機器８に提供するために、インターホン子機１、インターホン親機６、外部機器８間のインターフェース条件として、待受、呼出、出画、通話、終話等のインターフェース制御信号を接点信号に変換して入出力するＣＰＵ７７を備える。    【選択図】図１
2006074185.tif 000002
【特許請求の範囲】
【請求項１】
インターホン子機（１）の呼出釦（１１）の操作により呼出に応答しインターホン親機（６）で通話を行なうインターホンシステムであって、
前記インターホンシステムにパーソナルコンピュータ等の外部機器（８）を接続して、前記インターホンシステムの待受、呼出、通話、終話等の機能を前記外部機器に提供するために、前記インターホン子機、前記インターホン親機、前記外部機器間のインターフェース条件として、前記待受、呼出、通話、終話等のインターフェース制御信号を接点信号に変換して入出力するインターホンアダプタ（７）を備えたことを特徴とするインターホンシステム。
【請求項２】
前記接点信号は、１つのインターフェース制御信号に対して１ビットで構成されることを特徴とする請求項１記載のインターホンシステム。
【請求項３】
インターホン子機（１）の呼出釦（１１）の操作により呼出に応答し、インターホン親機（６）で通話を行なうインターホンシステムであって、
前記インターホンシステムにパーソナルコンピュータ等の外部機器（８）に接続して、前記インターホンシステムの待受、呼出、通話、終話等の機能を前記外部機器に提供するために、前記インターホン子機、前記インターホン親機、前記外部機器間のインターフェース条件として、前記待受、呼出、通話、終話等のインターフェース制御信号をシリアル信号に変換して入出力するインターホンアダプタ（７）を備えたことを特徴とするインターホンシステム。
【請求項４】
前記インターホンアダプタは、センサカメラ（２）からの信号を入力するセンサカメラＩ／Ｆ回路（７２）と、火災を感知する火災感知器（３）、ガス漏れや一酸化炭素を検知するガス検知器（４）、トイレや風呂などから呼び出しを行うためのコール釦（５）からの信号を入力するセンサＩ／Ｆ回路（７３）とを備えたことを特徴とする請求項１乃至請求項３何れか１項記載のインターホンシステム。
【請求項５】
前記インターホンアダプタは、前記待受、呼出、通話、終話等の状態遷移処理を行うとともに、前記接点信号または前記シリアル信号を生成するためのＣＰＵ（７７）を備えたことを特徴とする請求項１乃至請求項４何れか１項記載のインターホンシステム。
【請求項６】
前記インターホンアダプタは、映像信号を前記外部機器より入力し、前記インターホン親機に出画することを特徴とする請求項１乃至請求項５何れか１項記載のインターホンシステム。
【請求項７】
前記インターホンアダプタは、音声信号を前記外部機器より入力し、前記インターホン親機に前記音声信号を出力することを特徴とする請求項１乃至請求項６何れか１項記載のインターホンシステム。
【請求項８】
前記インターホンアダプタは、前記外部機器が生成するチャイム音、通知音、ＢＧＭ等の音響信号を前記外部機器より入力し、前記インターホン親機に前記音響信号を出力することを特徴とする請求項１乃至請求項７何れか１項記載のインターホンシステム。
【請求項９】
前記インターホンアダプタは、映像信号を前記インターホン子機のカメラ（１２）より入力し、前記外部機器に出画することを特徴とする請求項１乃至請求項８何れか１項記載のインターホンシステム。
【請求項１０】
前記インターホンアダプタは、音声信号を前記インターホン子機または前記インターホン親機より入力し、前記外部機器に前記音声信号を出力することを特徴とする請求項１乃至請求項９何れか１項記載のインターホンシステム。
【発明の詳細な説明】
【技術分野】
【０００１】
本発明は、インターホンシステムに係わり、特にパーソナルコンピュータ等の外部機器を接続するためのインターホンアダプタを備えたインターホンシステムに関する。
【背景技術】
【０００２】
従来から、この種のインターホンシステムとして、図２に示すような構成のものが知られている（例えば、特許文献１参照）。
【０００３】
同図において、従来のインターホンシステムは、玄関に設置され、呼出釦１１０やカメラ１２０等を有するインターホン子機１０と、居室に設置され、スピーカ（以下「親機スピーカ」という。）２１０やモニタ２２０等を有するインターホン親機２０と、居室等に設置されるインターホンアダプタ３０と、インターホン以外の機能を有する例えばパーソナルコンピュータ等の外部機器４０とを備えている。ここで、インターホン親機２０は、第１の幹線Ｌ１０を介してインターホン子機１０に、第２の幹線Ｌ２０を介してインターホンアダプタ３０にそれぞれ接続され、インターホンアダプタ３０には第３の幹線Ｌ３０を介して外部機器４０が接続されている。
【０００４】
インターホンアダプタ３０は、インターホン親機２０と接続するための親機インターフェース（以下「Ｉ／Ｆ」という。）回路３１０と、外部機器４０と接続するための外部機器Ｉ／Ｆ回路３２０とを備え、また、外部機器４０は、インターホンアダプタ３０と接続するためのアダプタＩ／Ｆ回路４１０と、映像表示やＣＧ表示等を行うためのディスプレイ４２０と、チャイム音やＢＧＭ等の音響を出力するためのスピーカ（以下「外部機器スピーカ」という。）４３０と、音声を入力するためのマイク４４０と、通信コマンドを解釈し制御を行うためのＣＰＵ４５０とを備えている。
【０００５】
このような構成のインターホンシステムにおいて、来訪者が呼出釦１１１０を押下すると、呼出信号が第１の幹線Ｌ１を介してインターホン親機２０へ伝送され、かかる呼出信号がインターホン親機２０で検出されると親機スピーカ２１０から呼出音が放音されると共にカメラ１２０で撮像された来訪者の映像がモニタ２２０に出画される。
【０００６】
また、これと共に、インターホン親機２０から呼出通知の制御信号とともに映像信号が出力され、これらの制御信号や映像信号が第２の幹線Ｌ２０、親機Ｉ／Ｆ回路３１０、外部機器Ｉ／Ｆ回路３２０および第３の幹線Ｌ３０を介してアダプタＩ／Ｆ回路４１０へ送出され、かかる制御信号がＣＰＵ４５０で検出されると、ＣＰＵ４５０の制御により、外部機器スピーカ４３０から呼出通知音が放音されると共にディスプレイ４２０に来訪者の映像が表示される。
【０００７】
ここで、居住者が外部機器４０の応答釦（不図示）を操作すると、外部機器４０から応答信号が前述の制御信号と逆の経由を経由してインターホン親機２０へ伝達され、これにより、第２の幹線Ｌ２０、インターホンアダプタ３０および第３の幹線Ｌ３０を介してインターホン親機２０に送信され、インターホン子機１０と外部機器４０間に通話路が形成される。
【０００８】
このような構成のインターホンシステムにおいては、制御信号や映像信号等がインターホンアダプタ３０を素通りするように構成されていることから、外部機器４０にインターホンとしての機能に必要な状態遷移をもたせる必要がある。
【０００９】
【特許文献１】特開平５−２７６５１７号公報  （段落番号「００１２」〜「００１５」、図１）
【発明の開示】
【発明が解決しようとする課題】
【００１０】
しかしながら、このような構成のインターホンシステムにおいては、外部機器において通信コマンド処理や状態遷移制御等を行う必要があるため、外部機器に応じて複雑な機能の作り込みや機能の追加、或いは外部機器のモデルチェンジに伴って機能を変更しなければならないという難点があった。
【００１１】
本発明は、このような難点を解決するためになされたもので、外部機器との連動を容易に行うため、外部機器とのやり取りをマン-マシン・インターフェースとすることで、外部機器にインターホンとしての機能に必要な状態遷移をもたせることなく、汎用性の高いインターフェースでより簡単にインターホンとしての機能を実現できるようにしたインターホンシステムを提供することを目的としている。
【課題を解決するための手段】
【００１２】
このような目的を達成するため、本発明の第１の態様であるインターホンシステムは、インターホン子機の呼出釦の操作により呼出に応答し、インターホン親機で通話を行なうインターホンシステムであって、インターホンシステムにパーソナルコンピュータ等の外部機器を接続して、インターホンシステムの待受、呼出、通話、終話等の機能を外部機器に提供するために、インターホン子機、インターホン親機、外部機器間のインターフェース条件として、待受、呼出、通話、終話等のインターフェース制御信号を接点信号に変換して入出力するインターホンアダプタを備えたものである。
【００１３】
本発明の第２の態様は、第１の態様であるインターホンシステムにおいて、接点信号は、１つのインターフェース制御信号に対して１ビットで構成されるものである。
【００１４】
本発明の第３の態様であるインターホンシステムは、インターホン子機の呼出釦の操作により呼出に応答し、インターホン親機で出画しながら通話を行なうインターホンシステムであって、インターホンシステムにパーソナルコンピュータ等の外部機器に接続して、インターホンシステムの待受、呼出、通話、終話等の機能を外部機器に提供するために、インターホン子機、インターホン親機、外部機器間のインターフェース条件として、待受、呼出、通話、終話等のインターフェース制御信号をシリアル信号に変換して入出力するインターホンアダプタを備えたものである。
【００１５】
本発明の第４の態様は、第１の態様乃至第３の態様の何れかの態様であるインターホンシステムにおいて、インターホンアダプタは、センサカメラからの信号を入力するセンサカメラＩ／Ｆ回路と、火災を感知する火災感知器、ガス漏れや一酸化炭素を検知するガス検知器、トイレや風呂などから呼び出しを行うためのコール釦からの信号を入力するセンサＩ／Ｆ回路とを備えたものである。
【００１６】
本発明の第５の態様は、第１の態様乃至第４の態様の何れかの態様であるインターホンシステムにおいて、インターホンアダプタは、待受、呼出、通話、終話等の状態遷移処理を行うとともに、接点信号またはシリアル信号を生成するためのＣＰＵを備えたものである。
【００１７】
本発明の第６の態様は、第１の態様乃至第５の態様の何れかの態様であるインターホンシステムにおいて、インターホンアダプタは、映像信号を外部機器より入力し、インターホン親機に出画するものである。
【００１８】
本発明の第７の態様は、第１の態様乃至第６の態様の何れかの態様であるインターホンシステムにおいて、インターホンアダプタは、音声信号を外部機器より入力し、インターホン親機に音声信号を出力するものである。
【００１９】
本発明の第８の態様は、第１の態様乃至第７の態様の何れかの態様であるインターホンシステムにおいて、インターホンアダプタは、外部機器が生成するチャイム音、通知音、ＢＧＭ等の音響信号を外部機器より入力し、インターホン親機に音響信号を出力するものである。
【００２０】
本発明の第９の態様は、第１の態様乃至第８の態様の何れかの態様であるインターホンシステムにおいて、インターホンアダプタは、映像信号をインターホン子機のカメラより入力し、外部機器に出画するものである。
【００２１】
本発明の第１０の態様は、第１の態様乃至第９の態様の何れかの態様であるインターホンシステムにおいて、インターホンアダプタは、音声信号をインターホン子機またはインターホン親機より入力し、外部機器に音声信号を出力するものである。
【発明の効果】
【００２２】
本発明の第１の態様乃至第１０の態様のインターホンシステムによれば、外部機器との通信をマン-マシン・インターフェースである通話、解錠などの釦操作或いは呼出などのＬＥＤ（Light Emitting Diode）表示とすることで、すなわち、外部機器から操作釦の接点信号として受け取り、また、呼び出しなどのＬＥＤ出力などの接点信号として外部機器に出力することに置換することで、外部機器にインターホン用の状態遷移をもたせることなく、汎用性の高いインターフェースでより簡単にインターホンとしての機能を実現させることができ、ひいては外部機器との連動を容易に行うことができる。
【発明を実施するための最良の形態】
【００２３】
以下、本発明のインターホンシステムを適用した好ましい形態の実施例について、図面を参照して説明する。
【００２４】
図１は、本発明のインターホンシステムにおける好ましい一実施例の全体構成を示すブロック図である。
【００２５】
同図において、本発明のインターホンシステムは、玄関に設置され、呼出釦１１、カメラ１２および子機マイク１３等を有するインターホン子機１と、住居の窓やドア等に設置され、不審者を監視するためのセンサカメラ２と、火災を感知する火災感知器３と、ガス漏れや一酸化炭素（ＣＯ）を検知するガス検知器４と、トイレや風呂等から呼び出しを行うためのコール釦５と、居室に設置され、親機スピーカ６１やモニタ６２等を有するインターホン親機６と、後述する外部機器８にインターホンシステムの待受、呼出、出画、通話、終話等の機能を提供するインターホンアダプタ７と、インターホンアダプタ７に接続され、当該インターホンダプタからインターホンシステムの待受、呼出、出画、通話、終話等の機能が提供されるパーソナルコンピュータ等の外部機器８とを備えている。ここで、インターホンアダプタ７は、第１の幹線Ｌ１を介してインターホン子機１に、第２の幹線Ｌ２を介してセンサカメラ２に、第３の幹線Ｌ３を介して火災感知器３に、第４の幹線Ｌ４を介してガス検知器４に、第５の幹線Ｌ５を介してコール釦５に、第６の幹線Ｌ６を介してインターホン親機６に、第７の幹線Ｌ７を介して外部機器８にそれぞれ接続されている。なお、第７の幹線Ｌ７は、第１〜第８のアダプタ幹線Ｌ７１〜Ｌ７８で構成されている。
【００２６】
インターホンアダプタ７は、インターホン子機１と接続するための子機Ｉ／Ｆ回路７１と、センサカメラ２と接続するためのセンサカメラＩ／Ｆ回路７２と、火災感知器３、ガス検知器４およびコール釦５と接続するためのセンサＩ／Ｆ回路７３と、インターホン親機６と接続するための親機Ｉ／Ｆ回路７４と、外部機器８と接続するための第１〜第８のバッファ７５ａ〜７５ｈを有する外部機器Ｉ／Ｆ回路７５と、子機Ｉ／Ｆ回路７１、センサカメラＩ／Ｆ回路７２、親機Ｉ／Ｆ回路７４および外部機器Ｉ／Ｆ回路７５との間で映像信号や音声信号を交換する交換回路７６と、子機Ｉ／Ｆ回路７１、センサカメラＩ／Ｆ回路７２、外部機器Ｉ／Ｆ回路７５および交換回路７６を制御すると共にセンサＩ／Ｆ回路７３からのセンサ信号を検知し、待受、呼出、出画、通話、終話等の状態遷移処理を行うとともに、後述する接点信号またはシリアル信号を生成するためのＣＰＵ（以下「アダプタＣＰＵ」という。）７７とを備えている。ここで、アダプタＣＰＵ７７は、子機Ｉ／Ｆ回路７１、センサカメラＩ／Ｆ回路７２、センサＩ／Ｆ回路７３、親機Ｉ／Ｆ回路７４、交換回路７６および第５〜第８のバッファ７５ｅ〜７５ｈに接続され、交換回路７６には子機Ｉ／Ｆ回路７１、センサカメラＩ／Ｆ回路７２、親機Ｉ／Ｆ回路７４および第１〜第４のバッファ７５ａ〜７５ｄが接続されている。また、子機Ｉ／Ｆ回路７１は第１の幹線Ｌ１を介してインターホン子機１に、センサカメラＩ／Ｆ回路７２は第２の幹線Ｌ２を介してセンサカメラ２に、センサＩ／Ｆ回路７３は第３の幹線Ｌ３を介して火災感知器３に、第４の幹線Ｌ４を介してガス検知器４に、第５の幹線Ｌ５を介してコール釦５に、親機Ｉ／Ｆ回路７４は第６の幹線Ｌ６を介してインターホン親機６にそれぞれ接続されている。
【００２７】
外部機器８は、パーソナルコンピュータとして動作させるためのＣＰＵ（以下「外部機器ＣＰＵ」という。）８０と、データやプログラムを保存するためのハードディスク装置８１と、キー入力操作を行うためのキーボード８２と、表示を行うためのディスプレイ８３と、インターホンアダプタ７から映像信号を取り込むためのキャプチャボード８４と、インターホンアダプタ７にテレビや録画した映像信号を出力するためのスキャンコンバータ８５と、インターホンアダプタ７との間で通話や呼出音などの音声信号を入出力するためのサウンドカード８６と、サウンドカード８６との間でチャイム音、通知音およびＢＧＭ等の音響信号を入出力するためのヘッドセット８７と、インターホンアダプタ７との間で接点信号を通信するためのＩ/Ｏカード８８と、インターホンアダプタ７との間でシリアル信号を通信するためのシリアル通信カード８９とを備えている。ここで、外部機器ＣＰＵ８０は、ハードディスク装置８１、キーボード８２、ディスプレイ８３、キャプチャボード８４、スキャンコンバータ８５、サウンドカード８６、Ｉ/Ｏカード８８およびシリアル通信カード８９に接続され、サウンドカード８６にはヘッドセット８７が接続されている。また、キャプチャボード８４は第１のアダプタ幹線Ｌ７１を介して第１バッファ７５ａに、スキャンコンバータ８５は第２のアダプタ幹線Ｌ７２を介し第２のバッファ７５ｂに、サウンドカード８６は第３のアダプタ幹線Ｌ７３を介して第３のバッファ７５ｃに、第４のアダプタ幹線Ｌ７４を介して第４のバッファ７５ｄに、Ｉ/Ｏカード８８は第５のアダプタ幹線Ｌ７５を介して第５のバッファ７５ｅに、第６のアダプタ幹線Ｌ７６を介して第６のバッファ７５ｆに、通信カード８９は第７のアダプタ幹線Ｌ７７を介して第７のバッファ７５ｇに、第８のアダプタ幹線Ｌ７８を介して第８のバッファ７５ｈにそれぞれ接続されている。
【００２８】
次に、このように構成された本発明のインターホンシステムの動作について説明する。
【００２９】
先ず、来訪者がインターホン子機１の呼出釦１１を押下すると呼出信号が第１の幹線Ｌ１を介して子機Ｉ／Ｆ回路７１へ伝送され、かかる呼出信号が子機Ｉ／Ｆ回路７１で検出されると子機Ｉ／Ｆ回路７１から、インターホン子機１、インターホン親機６、外部機器８間のインターフェース条件として、インターフェース制御信号（以下「第1のインターフェース制御信号」という。）がアダプタＣＰＵ７７へ伝送される。
【００３０】
かかる第1のインターフェース制御信号がアダプタＣＰＵ７７で検出されると、当該アダプタＣＰＵ７７から制御信号（以下「第１の制御信号」という。）が出力され、当該第１の制御信号が親機Ｉ／Ｆ回路７４および第６の幹線Ｌ６を介してインターホン親機６へ伝送される。かかる第１の制御信号がインターホン親機６で検出されると親機スピーカ６１から呼出音が放音されると共にカメラ１２で撮像された来訪者の映像がモニタ６２に出画される。
【００３１】
また、前述の第1のインターフェース制御信号は、アダプタＣＰＵ７７において、第1のインターフェース制御信号に対して１ビットで構成さる接点信号（以下「呼出接点信号」という。）に変換され、変換された呼出接点信号が第６のバッファ７５ｆおよび第７の幹線Ｌ７のうち第６のアダプタ幹線Ｌ７６を介して外部機器８へ伝送される。
【００３２】
かかる呼出接点信号は、外部機器８におけるインターホンプログラムが実行状態にあるとき、Ｉ／Ｏカード８８を介して受信され、この第１の接点信号が外部機器ＣＰＵ８０で検出されると、ディスプレイ８３およびサウンドカード８６が制御され、これにより、ディスプレイ８３に来訪者から呼び出しが行われている旨の表示がなされ、また、ヘッドセット８７のレシーバ（不図示）から通知音が出力される。
【００３３】
また、第１のインターフェース制御信号がアダプタＣＰＵ７７で検出されると、アダプタＣＰＵ７７により子機Ｉ／Ｆ回路７１および交換回路７６が制御され、これにより、カメラ１２で撮像された来訪者の映像信号が交換回路７６、第１のバッファ７５ａ、第７の幹線Ｌ７のうち第１のアダプタ幹線Ｌ７１を介してキャプチャボード８４へ送出され、ディスプレイ８３に来訪者の映像が出力される。
ここで、居住者が、キーボード８２により応答操作を行うと、外部機器８の常駐インターホンプログラムにおける外部機器ＣＰＵ８０によりＩ／Ｏカード８８が制御され、当該Ｉ／Ｏカード８８から接点信号（以下「応答接点信号」という。）が第７の幹線Ｌ７のうち第５のアダプタ幹線Ｌ７５および第５のバッファ７５ｅを介してアダプタＣＰＵ７７へ伝送される。
【００３４】
かかる応答接点がアダプタＣＰＵ７７で検出されると、アダプタＣＰＵ７７により子機Ｉ／Ｆ回路７１および交換回路７６が制御され、子機マイク１３から入力された来訪者の音声信号が交換回路７６、第３のバッファ７５ｃ、第７の幹線Ｌ７のうち第３のアダプタ幹線Ｌ７３を介してサウンドカード８６へ送出される。また、これと共に、アダプタＣＰＵ７７から接点信号（以下「通話許可接点信号」という。）が出力され、この通話許可接点信号が前述の呼出接点信号と同様の経路を経由してＩ／Ｏカード８８へ伝送される。
【００３５】
かかる通話許可接点信号が外部機器ＣＰＵ８０で検出されると、当該外部機器ＣＰＵ８０の制御により、ディスプレイ８３に通話表示され、また、サウンドカード８６が通話状態に制御されることで、第１の幹線Ｌ１、インターホンアダプタ７および第７の幹線Ｌ７（第３、第４のアダプタ幹線Ｌ７３、Ｌ７４）を介してインターホン子機１および外部機器８間に通話路が形成される。
【００３６】
一方、外部機器８において、キーボード８２より終話操作を行うと、外部機器ＣＰＵ８０の制御によりＩ／Ｏカード８８から接点信号（以下「終話接点信号」という。）が前述の応答接点信号と同様の経路を経由してアダプタＣＰＵ７７へ伝送され、かかる終話接点信号がアダプタＣＰＵ７７で検出されると、アダプタＣＰＵ７７から第１、第２の終話確認信号が出力され、第１の終話確認信号が呼出信号と逆の経路を経由してインターホン子機１へ、第２の終話確認信号が呼出接点信号と同様の経路を経由して外部機器８へ伝達される。これにより、前述のインターホン子機１および外部機器８間の通話路が遮断され、また、インターホン子機１および外部機器８の各通話機能が非能動となりそれぞれ待受状態となる。
【００３７】
次に、本発明のインターホンシステムの付加的な機能について説明する。
【００３８】
第１に、インターホンアダプタ７のアダプタＣＰＵ７７に外部機器Ｉ／Ｆ回路７５を構成する第７、第８のバッファ７５ｇ、７５ｈおよび第７の幹線Ｌ７を構成する第７、第８のアダプタ幹線Ｌ７７、Ｌ７８を介して外部機器８の通信カード８９を接続した場合においては、前述のインターフェース制御信号をシリアル信号に変換して外部機器８に出力することができる。この実施例においては省線化を図ることができる。
【００３９】
第２に、インターホンアダプタにセンサカメラＩ／Ｆ回路７２を搭載し、これをセンサカメラに接続した場合においては、センサカメラ２からの信号（以下「センサカメラ信号」という。）が第２の幹線Ｌ２を介してセンサカメラＩ／Ｆ回路７２へ伝送され、かかるセンサカメラ信号がセンサＩ／Ｆ回路７２で検出されるとセンサカメラＩ／Ｆ回路７２から、インターホン親機６、外部機器８間のインターフェース条件として、インターフェース制御信号（以下「第２のインターフェース制御信号」という。）がアダプタＣＰＵ７７へ伝送される。かかる第２のインターフェース制御信号は、第１のインターフェース制御信号と同様に、アダプタＣＰＵ７７において、１ビットで構成さる接点信号（以下「センサカメラ接点信号」という。）に変換されて前述の呼出接点信号と同様にＩ／Ｏカード８８を介して外部機器ＣＰＵ８０へ伝送され、これにより、ディスプレイ８３およびサウンドカード８６が制御される。
【００４０】
この実施例においては、不審者が侵入すると、ディスプレイ８３に不審者が侵入した旨の警報表示がなされ、また、ヘッドセット８７のレシーバから警報音が出力することから、外部機器８において不審者の侵入をキャッチすることができる。
【００４１】
第３に、インターホンアダプタに、センサＩ／Ｆ回路７３を搭載し、これを火災感知器３、ガス検知器４およびコール釦５を接続した場合においては、火災感知器３、ガス検知器４およびコール釦５からの信号（以下「コール信号」という。）が第３、第４、第５の幹線Ｌ３、Ｌ４、Ｌ５を介してセンサＩ／Ｆ回路７３へ伝送され、かかるコール信号がセンサＩ／Ｆ回路７３で検出されるとセンサＩ／Ｆ回路７３から、インターホン親機６、外部機器８間のインターフェース条件として、インターフェース制御信号（以下「第３のインターフェース制御信号」という。）がアダプタＣＰＵ７７へ伝送される。かかる第３のインターフェース制御信号は、第１のインターフェース制御信号と同様に、アダプタＣＰＵ７７において、１ビットで構成さる接点信号（以下「コール接点信号」という。）に変換されて前述の呼出接点信号と同様にＩ／Ｏカード８８を介して外部機器ＣＰＵ８０へ伝送され、これにより、ディスプレイ８３およびサウンドカード８６が制御される。
【００４２】
この実施例においては、火災やガス漏れが発生し若しくはトイレや風呂等において異常が発生すると、ディスプレイ８３にその旨の警報表示がなされ、また、ヘッドセット８７のレシーバから警報音が出力することから、外部機器８において火災やガス漏れが発生し若しくはトイレや風呂等において異常が発生したことをキャッチすることができる。
【００４３】
第４に、インターホンアダプタ７のアダプタＣＰＵ７７に外部機器Ｉ／Ｆ回路７５を構成する第２のバッファ７５ｂおよび第７の幹線Ｌ７を構成する第２のアダプタ幹線Ｌ７２を介して外部機器８のスキャンコンバータ８５を接続した場合においては、スキャンコンバータ８５からインターホンアダプタ７を介してテレビや録画した映像信号をインターホン親機６に入力させることができる。
【００４４】
第５に、インターホンアダプタ７のアダプタＣＰＵ７７に外部機器Ｉ／Ｆ回路７５を構成する第４のバッファ７５ｄおよび第７の幹線Ｌ７を構成する第４のアダプタ幹線Ｌ７４を介して外部機器８のサウンドカード８６を接続した場合においては、サウンドカード８６からインターホンアダプタ７を介してヘッドセット８７から入力する音声信号や外部機器が生成するチャイム音、通知音、ＢＧＭ等の音響信号をインターホン親機６に入力させることができる。
【産業上の利用可能性】
【００４５】
本発明は、特許請求の範囲内で、次のように、変更、修正を加えることができる。
【００４６】
第１に、前述の実施例では、外部機器８としてパーソナルコンピュータを使用した場合について説明しているが、ホームサーバやＡＤＳＬ（Asymmetric Digital Subscriber Line）モデムなどの通信機器やテレビや冷蔵庫などの家電製品、ガス給湯器や分電盤などの住宅設備を使用してもよい。
【００４７】
第２に、前述の実施例では、ヘッドセット８７により、チャイム音、通知音およびＢＧＭ（Back Ground Music）等の音響信号を入出力する場合について説明しているが、ヘッドセット８７に代えて外部機器８に内蔵させたスピーカおよびマイクにより音響信号を入出力させてもよい。
【００４８】
第３に、前述の実施例では、インターホンアダプタを外部機器に接続した場合について説明しているが、当該インターホンアダプタは外部機器に内蔵させてもよい。この場合には、Ｉ／Ｏカード８８、シリアル通信カード８９はインターホンアダプタに内蔵させてもよい。
【図面の簡単な説明】
【００４９】
【図１】本発明におけるインターホンシステムの一実施例の全体構成を示すブロック図。
【図２】従来のインターホンシステムの全体構成を示すブロック図。
【符号の説明】
【００５０】
１・・・インターホン子機
１１・・・呼出釦
１２・・・カメラ
２・・・センサカメラ
３・・・火災感知器
４・・・ガス検知器
５・・・コール釦
６・・・インターホン親機
７・・・インターホンアダプタ
８・・・外部機器
７２・・・センサカメラＩ／Ｆ回路
７３・・・センサＩ／Ｆ回路
７７・・・ＣＰＵ（外部機器ＣＰＵ）
【図１】
2006074185.tif 000003
【図２】
2006074185.tif 000004